(57)【要約】【課題】電気錠における部品の寿命予測をより高精度に行うことこと。【解決手段】電気錠管理システムであって、ＩＣカードに記憶されているＩＤを読み取るカードリーダ３ａを制御してＩＤを取得するカードリーダドライブ回路５と、取得されたＩＤと予め記憶されているＩＤとの比較結果に基づき、電気錠２ａの施錠状態を制御する電気錠ドライブ回路４と、動作履歴の情報を記憶する記憶装置１４と、記憶された動作履歴の情報に基づき、電気錠２ａの動作回数を算出し、動作履歴の情報における時間軸に対する算出した動作回数の変化に基づき、電気錠の保証動作回数として予め定められた回数に達するタイミングを交換時期として判断し、判断した交換時期をユーザに通知するための通知情報を生成する制御装置１３を含むことを特徴とする。【選択図】図１
2011219970.tif 000002
【特許請求の範囲】
【請求項１】
居室のドアを施錠する電気錠を管理する電気錠管理システムであって、
前記居室への入退室を許可されたユーザが所持している記憶媒体に記憶されている識別情報を読み取る情報読取装置を制御して前記識別情報を取得する情報読取装置制御部と、
前記取得された識別情報と、前記居室への入退室を許可する情報として予め記憶されている識別情報との比較結果に基づき、前記居室のドアを施錠する電気錠の施錠状態を制御する電気錠制御部と、
前記情報読取装置制御部及び前記電気錠制御部の動作履歴の情報として、前記識別情報の取得時間、前記ドアの開閉の有無、前記電気錠の施錠及び解錠動作の有無を示す情報を記憶する動作履歴情報記憶部と、
前記記憶された動作履歴の情報に基づき、前記電気錠の動作回数を算出する動作回数算出部と、
前記動作履歴の情報における時間軸に対する前記算出された動作回数の変化に基づき、前記電気錠の保証動作回数として予め定められた回数に達するタイミングを交換時期として判断する交換時期判断部と、
前記判断された交換時期をユーザに通知するための通知情報を生成する通知情報生成部とを含むことを特徴とする電気錠管理システム。
【請求項２】
前記動作回数算出部は、時系列に連続する２つの動作履歴における前記識別情報の取得時間の間隔が、予め定められた所定の時間以上の場合に、夫々の動作履歴における前記電気錠の動作を計上することを特徴とする請求項１に記載の電気錠管理システム。
【請求項３】
前記動作回数算出部は、前記動作履歴の情報における前記電気錠の施錠及び解錠動作の有無を示す情報において施錠及び解錠の両方の動作が含まれる場合と、施錠及び解錠のうち一方のみの動作が含まれる場合として前記電気錠の動作回数の形状値を変えることを特徴とする請求項１または２に記載の電気錠管理システム。
【請求項４】
居室への入退室を許可されたユーザが所持している記憶媒体に記憶されている識別情報を読み取る情報読取装置を制御して前記識別情報を取得する情報読取装置制御部と、前記取得された識別情報と、前記居室への入退室を許可する情報として予め記憶されている識別情報との比較結果に基づき、前記居室のドアを施錠する電気錠の施錠状態を制御する電気錠制御部と、前記情報読取装置制御部及び前記電気錠制御部の動作履歴の情報として、前記識別情報の取得時間、前記ドアの開閉の有無、前記電気錠の施錠及び解錠動作の有無を示す情報を生成する動作履歴情報生成部とを含み、前記電気錠を管理する電気錠管理システムの管理装置であって、
前記生成された動作履歴の情報を取得する動作履歴情報取得部と、
前記取得された動作履歴の情報に基づき、前記電気錠の動作回数を算出する動作回数算出部と、
前記動作履歴の情報における時間軸に対する前記算出された動作回数の変化に基づき、前記電気錠の保証動作回数として予め定められた回数に達するタイミングを交換時期として判断する交換時期判断部と、
前記判断された交換時期をユーザに通知するための通知情報を生成する通知情報生成部とを含むことを特徴とする管理装置。
【発明の詳細な説明】
【技術分野】
【０００１】
本発明は、電気錠管理システム及び管理装置に関し、電気錠に含まれる部品の寿命予測に関する。
【背景技術】
【０００２】
近年、戸建てや集合住宅における防犯性の高い施錠システムとして、鍵ではなくＩＣ（Ｉｎｔｅｇｒａｔｅｄ  Ｃｉｒｃｕｉｔ）の内蔵されたタグやカード等により施錠や解錠を行う電気錠システムが用いられている。このような電気錠システムにおいて故障が発生すると、鍵を用いる場合よりも応急的な対応が困難であり、住民に多大な不都合が生じる。従って、電気錠システムにおいては、故障を未然に回避するための施策が重要である。
【０００３】
電気錠システムにおいて故障を未然に回避するための施策としては、定期的なメンテナンスの他、上記タグやカード等による電気錠の駆動回数をカウントし、そのカウント値と電気錠の部品寿命に応じて定められた閾値との比較によって部品の交換時期を判断する方法が提案されている（例えば、特許文献１参照）。
【先行技術文献】
【特許文献】
【０００４】
【特許文献１】特開２００９−２４４２５号公報
【発明の概要】
【発明が解決しようとする課題】
【０００５】
特許文献１に記載の方法においては、カウント値と閾値とを比較するため、閾値の設定が重要である。例えば、設定された閾値が低すぎると、まだ寿命が残っており交換する必要のない部品が交換時期であると判断されてしまう。他方、設定された閾値が高すぎると、部品が寿命に達するまで交換時期の通知が成されず、電気錠システムの故障が突然発生することになる。
【０００６】
また、電気錠システムにおける部品の寿命はシステムの動作傾向によって異なる。電気錠の一般的な動作は、上記タグやカード等により解錠されてドアが開いた後、ドアが閉まって施錠されることによる解錠及び施錠動作である。即ち、解錠及び施錠動作両方で１回の動作と考えるのが一般的である。
【０００７】
これに対して、電気錠システムの動作には、ドアを開放する、即ち解錠のみを行う動作や、解放状態のドアの施錠のみを行う動作があり、このような動作と上述した一般的な動作とを同一のカウントにすると、カウント値が電気錠の実際の駆動態様に則したものではなくなってしまい、寿命判断を正確に行うことが出来ない。
【０００８】
また、上記タグやカード等により解錠されてドアが開いた後、ドアが閉まる前に再度タグやカード等による解錠コマンドが入力された場合、タグやカードによってコマンドが入力された回数と、電気錠の駆動回数とが不一致となり、電気錠の駆動回数のカウント値が不正確になる。
【０００９】
本発明は、上記課題を解決するためになされたものであり、電気錠における部品の寿命予測をより高精度に行うことが可能な電気錠システム及び管理装置を提供することを目的とする。
【課題を解決するための手段】
【００１０】
上記課題を解決するために、本発明の一態様は、居室のドアを施錠する電気錠を管理する電気錠管理システムであって、前記居室への入退室を許可されたユーザが所持している記憶媒体に記憶されている識別情報を読み取る情報読取装置を制御して前記識別情報を取得する情報読取装置制御部と、前記取得された識別情報と、前記居室への入退室を許可する情報として予め記憶されている識別情報との比較結果に基づき、前記居室のドアを施錠する電気錠の施錠状態を制御する電気錠制御部と、前記情報読取装置制御部及び前記電気錠制御部の動作履歴の情報として、前記識別情報の取得時間、前記ドアの開閉の有無、前記電気錠の施錠及び解錠動作の有無を示す情報を記憶する動作履歴情報記憶部と、前記記憶された動作履歴の情報に基づき、前記電気錠の動作回数を算出する動作回数算出部と、前記算出された動作回数に基づいて前記電気錠の保証動作回数として予め定められた回数に達するタイミングを交換時期として判断する交換時期判断部と、前記判断された交換時期をユーザに通知するための通知情報を生成する通知情報生成部とを含むことを特徴とする。
【００１１】
また、本発明の他の態様は、居室への入退室を許可されたユーザが所持している記憶媒体に記憶されている識別情報を読み取る情報読取装置を制御して前記識別情報を取得する情報読取装置制御部と、前記取得された識別情報と、前記居室への入退室を許可する情報として予め記憶されている識別情報との比較結果に基づき、前記居室のドアを施錠する電気錠の施錠状態を制御する電気錠制御部と、前記情報読取装置制御部及び前記電気錠制御部の動作履歴の情報として、前記識別情報の取得時間、前記ドアの開閉の有無、前記電気錠の施錠及び解錠動作の有無を示す情報を生成する動作履歴情報生成部とを含み、前記電気錠を管理する電気錠管理システムの管理装置であって、前記生成された動作履歴の情報を取得する動作履歴情報取得部と、前記取得された動作履歴の情報に基づき、前記電気錠の動作回数を算出する動作回数算出部と、前記算出された動作回数に基づいて前記電気錠の保証動作回数として予め定められた回数に達するタイミングを交換時期として判断する交換時期判断部と、前記判断された交換時期をユーザに通知するための通知情報を生成する通知情報生成部とを含むことを特徴とする。
【発明の効果】
【００１２】
本発明によれば、電気錠における部品の寿命予測をより高精度に行うことが可能な電気錠システム及び管理装置を提供することができる。
【図面の簡単な説明】
【００１３】
【図１】本発明の実施形態に係る電気錠管理システムの全体構成を示すブロック図である。
【図２】本発明の実施形態に係る電気錠管理システムの動作を示すフローチャートである。
【図３】本発明の実施形態に係る動作回数の演算動を示すフローチャートである。
【図４】本発明の実施形態に係る交換時期の予測動作の態様を示す図である。
【図５】本発明の実施形態に係る制御装置、通信インタフェース、記憶装置のハードウェア構成を示すブロック図である。
【発明を実施するための形態】
【００１４】
以下、本発明の実施形態に係る電気錠管理システムにおける電気錠交換時期判定ツールについて図に基づいて説明する。図１は、本実施形態に係る電気錠制御装置及び監視センターの機能構成を示すブロック図、図２は電気錠交換時期判定ツールによる電気錠交換時期予測動作を示すフローチャート図、図３は電気錠交換時期判定ツールの動作回数演算処理動作を示すフローチャート図である。
【００１５】
図１において、電気錠制御装置１は、電気錠ドライブ回路４、カードリーダドライブ回路５、制御装置６、通信インタフェース７、記憶装置８及び入出力回路９を含む。電気錠ドライブ回路４は、扉側の電気錠２ａ、２ｂ・・・と接続されており、制御装置６の制御に従って電気錠２ａ、２ｂ・・・の施錠及び解錠を制御する。即ち、本実施形態においては、電気錠ドライブ回路４が、電気錠制御部として機能する。
【００１６】
カードリーダドライブ回路５は、扉近くに設置されたカードリーダ３ａ、３ｂ・・・と接続されており、カードリーダ３ａ、３ｂ・・・によるカードの読み取り結果を制御装置６に入力する。尚、本実施形態においては、電気錠の施錠、解錠を行うためのツールとして磁気カードを用いる場合を例として説明するが、磁気以外の他のＩＣカードや、ＲＦＩＤ（Ｒａｄｉｏ  Ｆｒｅｑｕｅｎｃｙ  ＩＤｅｎｔｉｆｉｃａｔｉｏｎ）チップ等の埋め込まれたＩＣタグ等を用いることも可能である。即ち、本実施形態においては、カードリーダ３ａ、３ｂ・・・が情報読取装置として機能し、カードリーダドライブ回路５が情報読取装置制御部として機能する。
【００１７】
制御装置６は、電気錠制御装置１全体の動作を制御する。例えば、制御装置６は、カードリーダ３ａ、３ｂ・・・によるカードの読み取り結果をカードリーダドライブ回路５を介して取得し、取得した読み取り結果に応じて電気錠２ａ、２ｂ・・・を施錠若しくは解錠するように電気錠ドライブ回路４を制御する。これにより、扉電気錠の施解錠が、鍵を使用することなく可能となる。
【００１８】
制御装置６は、上述したように、カードの読み取り結果に応じて電気錠２ａ、２ｂ・・・の施錠若しくは解錠を判断する際、読み取り結果を検索キーとして、記憶装置８に予め記憶されている複数のカードＩＤを検索する。読み取り結果に応じたカードＩＤが記憶装置８に記憶されていた場合、制御装置６は、カードの所持者が入室許可されている者であると判断し、施錠若しくは解錠のための制御を行う。即ち、記憶装置８には、入室を許可された者が所持しているカードをカードリーダ３ａ、３ｂ・・・において読み取った場合に、読み取り結果として制御装置６が取得するカードＩＤの情報が記憶されている。
【００１９】
また、記憶装置８には、カードＩＤをキーとして、例えば、入退出時、カード利用者名称、入出及び退出などの事象を示す情報を含む電気錠２ａ、２ｂ・・・の動作履歴の情報が登録されている。同時に、その情報は通信インタフェース７より一般回線１０を介して設備の異常を２４時間監視している監視センター１１へ送信される。これらの処理は制御装置６の制御に従って実行される。即ち、制御装置６が、動作履歴情報生成部として機能する。
【００２０】
入出力回路９は、電気錠２ａ、２ｂ・・・及び扉開閉検知装置１５ａ、１５ｂ・・・と接続されており、電気錠２ａ、２ｂ・・・における施解錠状態及び扉開閉検知装置１５ａ、１５ｂ・・・における扉の開閉状態の信号を取得して制御装置６に入力している。通常、電気錠２ａ、２ｂ・・・における施解錠状態の信号は施錠状態であり電気錠ドライブ４によって電気錠２ａ、２ｂ・・・が解錠された場合に、信号が変化する。これにより制御装置６が、電気錠２ａ、２ｂ・・・の解錠を検知する。
【００２１】
通常、扉開閉検知装置１５ａ、１５ｂ・・・における扉の開閉状態の信号は閉状態であり、電気錠ドライブ４によって電気錠２ａ、２ｂが解錠され、扉が開かれた場合に信号が変化する。これにより制御装置６が、扉が開状態となったことを検知する。尚、扉の開閉については、カードリーダ３ａ、３ｂ・・・にカードを読み取らせて電気錠２ａ、２ｂ・・・を解錠したユーザが手動で開閉する方式であっても良いし、電気錠２ａ、２ｂ・・・が解錠されることにより自動的に開閉する方式であっても良い。
【００２２】
開かれた状態の扉は、扉クローザの自閉力やユーザによる手動、若しくは自動ドアとしての駆動機構により、閉じられる。これにより、扉開閉検知装置１５ａ、１５ｂ・・・における扉の開閉状態の信号が閉状態に変化する。これにより、制御装置６が、扉が閉状態となったことを検知する。扉が閉状態となったことを検知すると、制御装置６は、電気状態２ａ、２ｂ・・・を施錠するために電気錠ドライブ回路４を制御する。これにより、電気錠２ａ、２ｂのデッドボルトが突出して施錠が完了する。
【００２３】
ここで、上記デッドボルトとは、一般的な施錠機構において、扉若しくは扉の枠の一方から突出して他方の窪みに挿入されることにより、扉の開閉を妨げる部品である。一般的な施錠機構においては、鍵穴に鍵を挿入して鍵を回転することによりこのデッドボルトが突出して施錠が成される。電気錠システムにおいては、このデッドボルトの突出が電気的に制御されることにより、施解錠が成される。施錠が完了すると、電気錠２ａ、２ｂ・・・における施解錠状態を示す信号が施錠状態に変化する。これにより、制御装置６が電気錠２ａ、２ｂ・・・が施錠状態となったことを検知し、一連の施解錠動作が完了する。
【００２４】
次に、監視センター１１の電気錠交換時期判定ツールによる電気錠交換時期予測動作について、図２及び図３を用いて説明する。図２に示すように、まず監視センター１１の制御装置１３が、通信インタフェース１２を介して電気錠制御装置１から送信される履歴データを取得し、記憶装置１４に記憶させる（Ｓ２０１）。即ち、記憶装置１４が動作履歴情報記憶部として機能する。
【００２５】
制御装置１３は、電気錠制御装置１からの履歴データの取得が完了するまで、Ｓ２０１の処理を繰り返し（Ｓ２０２／ＮＯ）、履歴データの取得が完了すると（Ｓ２０２／ＹＥＳ）、記憶装置１４に記憶された履歴データに基づいて、電気錠２ａ、２ｂ・・・の動作回数演算を行う（Ｓ２０３）。即ち、制御装置１３が、動作回数算出部として機能する。Ｓ２０３においては、電気錠２ａ、２ｂ・・・のように複数ある電気錠のいずれか１つについて動作回数の演算が実行される。Ｓ２０３の処理については、後に詳述する。
【００２６】
動作回数の演算が完了すると、制御装置１３は、動作回数の演算結果に基づき、交換時期の予測処理を行う（Ｓ２０４）。即ち、制御装置１３が、交換時期判断部として機能する。Ｓ２０４においては、Ｓ２０３において動作回数が演算された電気錠について、部品の交換時期の予測処理が実行される。Ｓ２０４の処理についても後に詳述する。Ｓ２０４において予測した交換時期、即ち寿命が１年以内である場合（Ｓ２０５／ＹＥＳ）、制御装置１３は、通信インタフェース１２を制御して顧客に交換時期が近いことを通知する（Ｓ２０６）。即ち、制御装置１３が、通知情報生成部として機能する。
【００２７】
Ｓ２０６における交換時期の通知は、一般回線を介して情報を送信することにより、電気錠制御装置１に設けられた図示しない表示装置に表示されるような通知態様や、一般回線１０に接続された他の情報処理装置の表示装置に表示されるような通知態様が考えられる。また、表示装置に表示されるような通知態様の他、予め定められた管理人等のメールアドレス宛てに制御装置１３が電子メールを送信することによる通知態様が考えられる。
【００２８】
顧客への通知が完了し、若しくはＳ２０５の判断の結果寿命が一年以上あった場合（Ｓ２０５／ＮＯ）、制御装置１３は、複数ある電気錠の全てについて寿命予測が完了したか否か判断し（Ｓ２０７）、完了していなければ（Ｓ２０７／ＮＯ）、Ｓ２０３からの処理を繰り返し、完了していれば（Ｓ２０７／ＹＥＳ）、そのまま処理を終了する。このような処理により、本実施形態に係る電気錠システムにおける電気錠の部品の寿命予測処理が完了する。
【００２９】
次に、図２のＳ２０３の処理の詳細について、図３を参照して説明する。電気錠システムの動作判定を行う履歴のうち、デッドボルトによる施錠及び解錠が各１回、即ち１セット行われる履歴としては、カードリーダにカードをかざして居室への入退室を行った場合に発生する「入室」「退室」、カードリーダにカードをかざしたが、居室への入退室を行わなかった場合に発生する「未入室」「未退室」、扉付近に設置された一時解錠釦の操作により居室への入退室を行った場合に発生する「一時解錠釦」がある。記憶装置１４は、これらを「履歴Ｂ」として記憶する。
【００３０】
デッドボルトによる施錠及び解錠のいずれか１回、即ち０．５セット行われる履歴としては、監視センターからの指示により扉を常に施錠または解錠状態とする「連続施錠」「連続解錠」がある。記憶装置１４は、これらを「履歴Ｃ」として記憶する。
【００３１】
図３に示すように、制御装置１３は、動作回数の演算処理を開始すると、まず電気錠動作判定を行う履歴を順に選択するためのカウント値をカウントアップする（Ｓ３０１）。次に、制御装置１３は、記憶装置１４に記憶されている履歴データを選択し、選択した履歴がＢの履歴（「入室」「退室」「未入室」「未退室」「一時解錠釦」のいずれか）であるか否か判定する（Ｓ３０２）。
【００３２】
電気錠動作判定を行う履歴がＢであった場合（Ｓ３０２／ＹＥＳ）、制御装置１３は、１件前の履歴、即ちＡ−１件目がＢであったか否か判定する（Ｓ３０３）。電気錠動作判定を行う履歴と１件前の履歴が共にＢである場合（Ｓ３０３／ＹＥＳ）、制御装置１３は、Ａ件目とＡ−１件目との履歴の発生間隔が６秒未満であるか否か判定する（Ｓ３０４）。
【００３３】
Ｓ３０４の判定の趣旨は、カードリーダにカードを読み取らせて扉を開き、扉が閉まる前にカードリーダに再度カードを読み取らせる操作により、履歴は２回発生したが電気錠の図示しないデッドボルトは１回しか動作していない場合（以降、連続読み取りの場合とする）の、重複したカウントを排除することにある。本実施形態においては、上記連続読み取りの場合の閾値を６秒とし、６秒以内に２以上の履歴が発生した場合は、動作回数をカウントしないことにより、動作回数の演算を高精度に行う。
【００３４】
電気錠動作判定を行う履歴と１件前の履歴がＢであり、且つ履歴の発生間隔が６秒以上である場合（Ｓ３０４／ＮＯ）、上記連続読み取りの場合ではないため、制御装置１３は、電気錠の動作回数を＋１回とカウントする（Ｓ３０６）。そして、制御装置１３は、カウントした動作回数を記憶し（Ｓ３０７）、一の電気錠について全ての履歴を判定したか否か確認する（Ｓ３０５）。
【００３５】
また、上記連続読み取りの場合（Ｓ３０４／ＹＥＳ）、制御装置１３は、Ｓ３０５の処理に進む。全ての履歴について判定が完了していれば（Ｓ３０５／ＹＥＳ）、制御装置１３はそのまま処理を終了する。他方、全ての履歴について判定が完了していなければ、制御装置１３は、Ｓ３０１からの処理を繰り返す。
【００３６】
また、電気錠動作判定を行う履歴がＢであり、１件前の履歴がＢではない場合（Ｓ３０３／ＮＯ）、制御装置１３は、電気錠の動作回数を＋１回とカウントし（Ｓ３０６）、カウントした動作回数を記憶し（Ｓ３０７）、一の電気錠について全ての履歴を判定したか否か確認する（Ｓ３０５）。
【００３７】
他方。Ｓ３０２の処理において、動作判定を行う履歴がＢではなかった場合（Ｓ３０２／ＮＯ）、制御装置１３は、次に、動作判定を行う履歴がＣであるか否か判定する（Ｓ３０８）。電気錠動作判定を行う履歴がＣであった場合（Ｓ３０８／ＹＥＳ）、制御装置１３は、電気錠の動作回数を＋０．５開とカウントし（Ｓ３０９）、上述したようにＳ３０７、Ｓ３０５の処理を行う。また、動作判定を行う履歴がＣでもない場合、制御装置１３は、Ｓ３０５の処理に進む。
【００３８】
このような処理により、本実施形態に係る動作回数の演算動作が完了する。本実施形態に係る動作回数の演算においては、履歴Ｂ、履歴Ｃといった履歴の種類並びに連続する履歴の間隔に基づいて、カウントの要否を判断してカウント値を変更するため、実際の電気錠の動作態様に沿った高精度な動作回数のカウント値を得ることが可能である。
【００３９】
また、図３の動作に含まれる夫々の処理は、全て監視センター１１の制御装置１３による処理である。そして、履歴Ｂ、履歴Ｃといった履歴の種類や、各履歴の時間の情報は、既存の電気錠システムにおける履歴情報にも含まれている。従って、本実施形態に係る電気錠システムは、監視センター１１側における制御装置１３の機能更新のみで実現可能であり、低コストで上記効果を得ることが可能である。
【００４０】
次に、図２のＳ２０４の処理の詳細について、図４を参照して説明する。図４は、本実施形態に係る電気錠交換時期判定ツールによる電気錠交換時期予測のグラフを示す図である。図４のグラフにおいては、横軸が時間軸であり、縦軸が電気錠の動作回数を示す。本実施形態に係る交換時期の予測処理において、制御装置１３は、記憶装置１４に記憶されている履歴データに基づき、図４に示すように、時間経過に対する動作回数の変化に応じたフィッティング曲線を求める。フィッティング曲線を求める際には、最少二乗法やｎ次関数曲線等既存の方法を用いることができる。
【００４１】
Ｓ２０３において演算した動作回数がｎ回であった場合、制御装置１３が求める曲線は例えば（ｎ−１）次の曲線である。また、各履歴データの動作回数は、図３のＳ３０６若しくはＳ３０９においてカウントされた回数を用いる。即ち、連続する履歴の間隔が６秒以内である場合、連続する履歴のうち後の履歴はカウントされない。また、履歴の種類が履歴Ｃであれば、その履歴は０．５回としてカウントされる。
【００４２】
このようにして履歴データに対するフィッティング曲線を求めると、制御装置１３は、図４に示すように、求めたフィッティング曲線の値が、予め定められた製品保証動作回数に達するまでの時間を残寿命として求める。このような処理により、様々な建物に設置された電気錠の動作傾向を考慮した残寿命を求めることができ、電気錠の寿命が近いことを前もってユーザに通知することが可能となる。
【００４３】
本実施形態においては、上述したように制御装置１３によって要旨となる処理が実行される。制御装置１３の機能は、ハードウェアとソフトウェアとが連動して構成される機能により実現される。以下、本実施形態に係る制御装置１３、通信インタフェース１２及び記憶装置１４のハードウェア構成について説明する。
【００４４】
図５は、本実施形態に係る制御装置１３、通信インタフェース１２及び記憶装置１４のハードウェア構成を示すブロック図である。図５に示すように、本実施形態に係る制御装置１３、通信インタフェース１２及び記憶装置１４は、一般的なサーバやＰＣ等と同様の構成を含む。即ち、本実施形態に係る制御装置１３、通信インタフェース１２及び記憶装置１４は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、ＨＤＤ（Ｈａｒｄ  Ｄｉｓｋ  Ｄｒｉｖｅ）１０４及びＩ／Ｆ１０５がバス１０８を介して接続されている。また、Ｉ／Ｆ１０５にはＬＣＤ（Ｌｉｑｕｉｄ  Ｃｒｙｓｔａｌ  Ｄｉｓｐｌａｙ）１０６及び操作部１０７が接続されている。
【００４５】
ＣＰＵ１０１は演算手段であり、制御装置１３全体の動作を制御する。ＲＡＭ１０２は、情報の高速な読み書きが可能な揮発性の記憶媒体であり、ＣＰＵ１０が情報を処理する際の作業領域として用いられる。ＲＯＭ１０３は、読み出し専用の不揮発性記憶媒体であり、ファームウェアや各種の制御プログラム等のプログラムが格納されている。ＨＤＤ１０４は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。また、本実施形態に係る記憶装置１４は、ＨＤＤ１０４によって実現される。
【００４６】
Ｉ／Ｆ１０５は、バス１０８と各種のハードウェアやネットワーク等を接続し制御する。本実施形態に係る通信インタフェース１２は、Ｉ／Ｆ１０５によって実現される。ＬＣＤ１０６は、ユーザが制御装置１３の状態を確認するための視覚的ユーザインタフェースである。操作部１０７は、キーボードやマウス等、ユーザが制御装置１３に情報を入力するためのユーザインタフェースである。
【００４７】
このようなハードウェア構成において、ＲＯＭ１０３やＨＤＤ１０４若しくは図示しない光学ディスク等の記憶媒体に格納されたプログラムがＲＡＭ１０２に読み出され、ＣＰＵ１０１の制御に従って動作することにより、ソフトウェア制御部が構成される。このようにして構成されたソフトウェア制御部と、ハードウェアとの組み合わせによって、本実施形態に係る制御装置１３の機能が実現される。
【符号の説明】
【００４８】
１  電気錠制御装置、
２ａ、２ｂ  電気錠、
３ａ、３ｂ  カードリーダ、
４  電気錠ドライブ回路、
５  カードリーダドライブ回路、
６  制御装置、
７  通信インタフェース、
８  記憶装置、
９  入出力回路、
１０  一般回線、
１１  監視センター
１２  通信インタフェース、
１３  制御装置、
１４  記憶装置、
１５ａ、１５ｂ  扉開閉検知装置、
１０１  ＣＰＵ、
１０２  ＲＡＭ、
１０３  ＲＯＭ、
１０４  ＨＤＤ、
１０５  Ｉ／Ｆ、
１０６  ＬＣＤ、
１０７  操作部、
１０８  バス
【図１】
2011219970.tif 000003
【図２】
2011219970.tif 000004
【図３】
2011219970.tif 000005
【図４】
2011219970.tif 000006
【図５】
2011219970.tif 000007